(57)【要約】【課題】被印刷体の取り替えが容易であって、かつ破損が生じにくい賞球収容箱を提供する。【解決手段】上部を開口した箱体である外箱体と、この外箱体に開口から挿入して内側に嵌合させる上部を開口した箱体の内箱体とからなる賞球収容箱であって、外箱体及び／または内箱体には略透明な領域を設け、外箱体と内箱体との間に所要の印刷が施された被印刷体を介設することにより、略透明な領域から印刷を表示するように構成する。さらに、外箱体及び／または内箱体は、略透明な合成樹脂材料で形成する。被印刷体は、外箱体の底面と内箱体の底面とに挟まれる底面部と、この底面部から四方にそれぞれ伸延させて外箱体の側面と内箱体の側面とに挟まれる４つの側面部とを有し、底面部の表面と裏面、及び各側面部の表面と裏面をそれぞれ印刷領域とする。【選択図】図１
2006051395.tif 000002
【特許請求の範囲】
【請求項１】
上部を開口した箱体である外箱体と、この外箱体に前記開口から挿入して内側に嵌合させる上部を開口した箱体の内箱体とからなる賞球収容箱であって、
前記外箱体及び／または前記内箱体には光を透過させる材料で構成した透明領域を設け、前記外箱体と前記内箱体との間に所要の印刷が施された被印刷体を介設することにより、前記透明領域から前記被印刷体の印刷面を視認可能とした賞球収容箱。
【請求項２】
前記外箱体及び／または前記内箱体は、光を透過させる合成樹脂材料で形成したことを特徴とする請求項１記載の賞球収容箱。
【請求項３】
前記被印刷体は、前記外箱体の底面と前記内箱体の底面とに挟まれる底面部と、この底面部から四方にそれぞれ伸延させて前記外箱体の側面と前記内箱体の側面とに挟まれる４つの側面部とを有し、前記底面部の表面と裏面、及び前記各側面部の表面と裏面にそれぞれ印刷領域を設けていることを特徴とする請求項１または請求項２に記載の賞球収容箱。
【請求項４】
前記底面部と前記側面部との境界部分には、前記底面部と前記側面部とを区分するように１本の山折り線と２本の谷折り線とからなる３本の折曲線を互いに略平行に設け、
前記被印刷体を前記外箱体内に挿入した際に、前記底面部の外周に下方に向けて突出した突出壁を設けるように構成したことを特徴とする請求項３記載の賞球収容箱。
【請求項５】
前記外箱体には、前記被印刷体の前記突出壁が挿入される溝を設けたことを特徴とする請求項４記載の賞球収容箱。
【請求項６】
前記内箱体の底面には、前記被印刷体での前記突出壁の形成にともなって前記被印刷体に形成された凹条溝に挿入する挿入片を下方に向けて突設したことを特徴とする請求項５記載の賞球収容箱。
【請求項７】
前記外箱体の上端縁には、前記内箱体の上端縁に設けた鍔部と重なり合う鍔部を設けるとともに、前記外箱体の鍔部には、前記内箱体の鍔部が遊嵌される突出壁を外側縁に沿って設け、この突出壁は、前記内箱体の鍔部の厚み寸法よりも大きく突出させて前記賞球を係止可能としたことを特徴とする請求項１〜６のいずれか1項に記載の賞球収容箱。
【発明の詳細な説明】
【技術分野】
【０００１】
本発明は、遊技場で使用する賞球を収容する賞球収容箱に関するものである。
【背景技術】
【０００２】
従来、遊技場で使用する賞球を収容する賞球収容箱には、所要の合成樹脂材料を用いて形成した上部に開口を有する樹脂製箱が用いられている。
【０００３】
このような樹脂製箱の外側面には、その樹脂製箱を使用している店舗の名称を表示したり、あるいは広告用ステッカーを貼付したりすることがあるが、これらの表示方法では表示内容の変更が困難であった。
【０００４】
そこで、樹脂製箱の底面に、両面に所要の広告が印刷された被印刷体を収容した広告体ケースを着脱自在に装着するように構成した賞球収容箱が提案されている（例えば、特許文献１参照。）。この賞球収容箱では、被印刷体を収容した広告体ケースへの交換を行うことにより、表示内容の変更を容易に行うことができる。
【特許文献１】特開平１０−１１８３２６号公報
【発明の開示】
【発明が解決しようとする課題】
【０００５】
しかしながら、広告体ケースを使用する場合には、この広告体ケースを樹脂製箱の底面に固定装着する構造が必要となり、固定装着にともなって樹脂製箱に生じた応力によって樹脂製箱に破損が生じやすいという問題があった。
【０００６】
本発明者は、被印刷体の取り替えが容易であって、かつ破損が生じにくい賞球収容箱を提供すべく研究開発を行い、本発明を成すに至ったものである。
【課題を解決するための手段】
【０００７】
本発明の賞球収容箱は、上部を開口した箱体である外箱体と、この外箱体に開口から挿入して内側に嵌合させる上部を開口した箱体の内箱体とからなる賞球収容箱であって、外箱体及び／または内箱体には光を透過させる材料で構成した透明領域を設け、外箱体と内箱体との間に所要の印刷が施された被印刷体を介設することにより、透明領域から被印刷体の印刷面を視認可能とした。
【０００８】
また、以下の点にも特徴を有するものである。すなわち、
（１）外箱体及び／または内箱体は、光を透過させる合成樹脂材料で形成したこと。
（２）被印刷体は、外箱体の底面と内箱体の底面とに挟まれる底面部と、この底面部から四方にそれぞれ伸延させて外箱体の側面と内箱体の側面とに挟まれる４つの側面部とを有し、底面部の表面と裏面、及び各側面部の表面と裏面にそれぞれ印刷領域を設けたこと。
（３）底面部と側面部との境界部分には、底面部と側面部とを区分するように１本の山折り線と２本の谷折り線とからなる３本の折曲線を互いに略平行に設け、被印刷体を外箱体内に挿入した際に、底面部の外周に下方に向けて突出した突出壁を設けるように構成したこと。
（４）外箱体には、被印刷体の突出壁が挿入される溝を設けたこと。
（５）内箱体の底面には、被印刷体での突出壁の形成にともなって被印刷体に形成された凹条溝に挿入する挿入片を下方に向けて突設したこと。
（６）外箱体の上端縁には、内箱体の上端縁に設けた鍔部と重なり合う鍔部を設けるとともに、外箱体の鍔部には、内箱体の鍔部が遊嵌される突出壁を外側縁に沿って設け、この突出壁は、内箱体の鍔部の厚み寸法よりも大きく突出させて賞球を係止可能としたこと。
【発明の効果】
【０００９】
請求項１記載の発明によれば、上部を開口した箱体である外箱体と、この外箱体に開口から挿入して内側に嵌合させる上部を開口した箱体の内箱体とからなる賞球収容箱であって、外箱体及び／または内箱体には光を透過させる材料で構成した透明領域を設け、外箱体と内箱体との間に所要の印刷が施された被印刷体を介設することにより、透明領域から被印刷体の印刷面を視認可能に構成したことによって、被印刷体の取り替えが容易であって、かつ外箱体及び内箱体に破損が生じにくい賞球収容箱を提供することができる。
【００１０】
請求項２記載の発明によれば、請求項１記載の賞球収容箱において、光を透過させる合成樹脂材料で外箱体及び／または内箱体を形成したことによって、外箱体及び／または内箱体の全面において被印刷体に施された印刷面を視認させることができる。
【００１１】
請求項３記載の発明によれば、請求項１または請求項２に記載の賞球収容箱において、被印刷体は、外箱体の底面と内箱体の底面とに挟まれる底面部と、この底面部から四方にそれぞれ伸延させて外箱体の側面と内箱体の側面とに挟まれる４つの側面部とを有し、底面部の表面と裏面、及び各側面部の表面と裏面にそれぞれ印刷領域を設けていることによって、最大で１０面の印刷領域を利用することができ、所要の広告をそれぞれ印刷することにより１０種類の広告を行うことができる。
【００１２】
請求項４記載の発明によれば、請求項３記載の賞球収容箱において、底面部と側面部との境界部分には、底面部と側面部とを区分するように１本の山折り線と２本の谷折り線とからなる３本の折曲線を互いに略平行に設け、被印刷体を外箱体内に挿入した際に、底面部の外周に下方に向けて突出した突出壁を設けるように構成したことによって、外箱体と内箱体との間に設けた被印刷体自体、特に突出壁部分を緩衝体として利用することができ、比較的破損しやすい内箱体に破損が生じる可能性を大きく低減できる。
【００１３】
請求項５記載の発明によれば、請求項４記載の賞球収容箱において、外箱体には、被印刷体の突出壁が挿入される溝を設けたことによって、外箱体と内箱体との間に設けた被印刷に位置ずれが生じることを防止できる。
【００１４】
請求項６記載の発明によれば、請求項５記載の賞球収容箱において、内箱体の底面には、被印刷体での突出壁の形成にともなって被印刷体に形成された凹条溝に挿入する挿入片を下方に向けて突設したことによって、外箱体の溝に挿入された被印刷体の突出壁が溝から抜け出すことを防止できる。
【００１５】
請求項７記載の発明によれば、請求項１〜６のいずれか１項に記載の賞球収容箱において、外箱体の上端縁には、内箱体の上端縁に設けた鍔部と重なり合う鍔部を設けるとともに、外箱体の鍔部には、内箱体の鍔部が遊嵌される突出壁を外側縁に沿って設け、この突出壁は、内箱体の鍔部の厚み寸法よりも大きく突出させて賞球を係止可能としたことによって、突出壁によって内箱体を外箱体で安定的に保持することができるとともに、賞球の零れ落ちを防止可能とすることができる。
【発明を実施するための最良の形態】
【００１６】
本発明の賞球収容箱は、上部を開口した箱体である外箱体と、この外箱体に開口から挿入して内側に嵌合させる上部を開口した箱体の内箱体とからなる二重構造の箱体としているものであり、特に外箱体及び／または内箱体には光を透過させる材料で構成した透明領域を設け、外箱体と内箱体との間に所要の印刷が施された被印刷体を介設することにより、透明領域から被印刷体に施された印刷面を視認可能としているものである。
【００１７】
このように、賞球収容箱は、外箱体と内箱体の二重構造とし、外箱体と内箱体との間に被印刷体を介設することによって、外箱体及び内箱体は単なる箱体であればよく、余計な応力集中などが生じることを防止して外箱体及び内箱体に破損を生じにくくすることができる。
【００１８】
しかも、被印刷体は、外箱体と内箱体とによって挟持されながら支持されるので確実に固定できるとともに、被印刷体自体が緩衝材としても機能し、外箱体及び内箱体に破損を生じにくくすることができる。
【００１９】
ここで、透明領域には、透明なプラスチック板やガラス板を用いることができるが、外箱体及び／または内箱体自体を、光を透過させる合成樹脂材料で形成することにより、外箱体及び／または内箱体の全面において被印刷体に施された印刷を表示できる。
【００２０】
なお、光を透過させる合成樹脂材料は必ずしも透明である必要はなく、所要の色素を有していてもよい。
【００２１】
外箱体と内箱体との間に介設される被印刷体は、外箱体の底面と内箱体の底面とに挟まれる底面部と、この底面部から四方にそれぞれ伸延させて外箱体の側面と内箱体の側面とに挟まれる４つの側面部とを有するように構成している。
【００２２】
このように構成することによって、被印刷体では、底面部の表面と裏面、及び各側面部の表面と裏面をそれぞれ印刷領域とすることができ、最大で１０面の印刷領域を利用することができる。
【００２３】
なお、底面部の裏面側は、通常の使用状態では視認され難いため、有効な印刷領域は９面であって、９面広告体として利用することができる。なお、底面部の裏面側の印刷領域にも印刷を行って、例えば被印刷体を必要に応じて裏返しながら使用するようにしてもよい。
【００２４】
以下において、図面に基づいて本発明の実施例形態を詳説する。本実施例形態の賞球収容箱は、図１に示すように、上部を開口した箱体である外箱体10と、この外箱体に開口から挿入して内側に嵌合させる上部を開口した箱体の内箱体20と、外箱体10の底面に敷設する緩衝シート体30と、外箱体10と内箱体20との間に介設する被印刷体40とで構成している。
【００２５】
本実施形態では、外箱体10は、透明な合成樹脂材料で上部を開口した箱体としており、図２に示すように、対向した１組の側壁11,11の外側面には把持用の取っ手12,12を設けている。
【００２６】
本実施形態では、外箱体10は透明体としているが、光が透過できれば多少の着色が施されていてもよいし、所要の領域だけ透明としたり開口したりしてもよい。
【００２７】
外箱体10の底面には、図２に示すように、緩衝シート体30が嵌合される嵌合用凹部13を凹設し、この嵌合用凹部13に緩衝シート体30を嵌合装着するようにしている。なお、嵌合用凹部13は、緩衝シート体30よりも少し大きめに形成して、緩衝シート体30を遊嵌するようにしてもよい。
【００２８】
さらに、外箱体10の底面には、図２に示すように、嵌合用凹部13の外周に後述する被印刷体40に形成した突出壁49aを挿入する溝14を形成しており、この溝14に被印刷体40の突出壁49aを挿入することによって、外箱体10の内側面に沿わせて挿入した被印刷体40に位置ずれが生じることを抑制している。
【００２９】
外箱体10の上端縁には、所要の幅寸法としたフランジ15を設けており、このフランジ15の外側縁には後述する内箱体20に設けた係合用凸部26と係合する係合用凹部16を設けている。
【００３０】
内箱体20は、透明な合成樹脂材料で上部を開口した箱体としており、外箱体10に挿入可能としている。内箱体20も透明体としているが、光が透過できれば多少の着色が施されていてもよいし、所要の領域だけ透明としたり開口したりしてもよい。
【００３１】
内箱体20の底面の外側面には、内箱体20を外箱体10に挿入した際に外箱体10の内側底面に設けた溝14と対応する位置に下方に向けて挿入片21を突設している。この挿入片21は、外箱体10に内箱体20を挿入した場合に箱体10の内側底面に設けた溝14に挿入するようにしており、外箱体10に被印刷体40を挿入した後に外箱体10に内箱体20を挿入することによって、挿入片21と溝14とで被印刷体40を挟持するようにしている。
【００３２】
さらに、内箱体20の上端縁には、外箱体10のフランジ15と重なり合って、このフランジ15の上側面及び外側面を被覆するようにしたフランジカバー22を設け、しかも、フランジカバー22には、図３に示すように、外箱体10のフランジ15の外側縁に設けた係合用凹部16と係合する係合用凸部26を設けている。図３は、図２における丸枠で囲まれた外箱体10のフランジ15部分における拡大図であって、フランジ15とフランジカバー22とが重なる合った状態を示している。
【００３３】
このように、係合用凹部16と係合用凸部26とを係合させることによって、賞球収容箱では内箱体20を外箱体10に確実に嵌合させて固定し、通常の使用状態において内箱体20が外箱体10から簡単に脱落することを防止できる。本実施形態では、外箱体10に係合用凹部16を設け、内箱体20に係合用凸部26を設けて係合させるようにしているが、凹部と凸部はそれぞれ逆に形成してもよい。また、係合用凹部16はフランジ15の外側縁に沿って周回させて形成し、係合用凸部26はフランジカバー22の内側縁に沿って周回させて形成しているが、フランジ15及びフランジカバー22の所定の部分にのみ係合用凹部16と係合用凸部26とをそれぞれ設けてもよい。
【００３４】
内箱体20の側面には、図２に示すように、所定位置に空気抜き用の通気孔23を設け、内箱体20の外箱体10への着脱を容易に行えるようにしている。また、本実施形態の内箱体20では、底面の略中央部を底面外周部よりも上方に向けて若干膨出させ、少量の賞球を賞球収容箱内に収容した状態においては、賞球ができるだけ内箱体20の側面に沿うようにして、賞球を取り出しやすくしている。なお、さらに賞球を取り出しやすくするために、内箱体20の底面に所望の傾斜面を設けてもよい。
【００３５】
緩衝シート体30は、本実施形態ではポリウレタン製としており、外箱体10の底面に設けた嵌合用凹部13に嵌合させて装着するようにしている。このように、外箱体10と内箱体20との間には緩衝シート体30を介設することによって、賞球収容箱内に賞球を投入する際に生じる騒音を抑制することができる。
【００３６】
特に、本発明のように、賞球収容箱を外箱体10と内箱体20の二重構造としている場合には、外箱体10と内箱体20との間の空間部分で音の増幅が生じやすいが、緩衝シート体30を介設することによって音の増幅を抑制できる。特に、緩衝シート体30を吸音材で構成した場合には、吸音効率をさらに向上させることができる。
【００３７】
被印刷体40は、図４に示すように、外箱体10の底面と内箱体20の底面とに挟まれる底面部45と、この底面部45から四方にそれぞれ伸延させて外箱体10の側面と内箱体20の側面とにそれぞれ挟まれる第１〜４側面部41,42,43,44とで構成し、略十字状としている。なお、場合によっては、被印刷体40は底面部45だけで構成してもよいし、底面部45に１つ、または２つ、または３つの側面部を伸延させて構成してもよい。
【００３８】
底面部45と第１〜４側面部41,42,43,44とで構成した被印刷体40は、表裏両面をそれぞれ印刷領域としており、最大で１０面の印刷領域を設けている。
【００３９】
底面部45の表面と裏面の印刷領域、及び第１〜４側面部41,42,43,44のそれぞれの表面と裏面の印刷領域にはそれぞれ所望の印刷、例えば店舗広告や、サービス内容の告知、遊技者が得する情報の表示を行っている。
【００４０】
さらに、本実施例の被印刷体40では、図４に示すように、底面部45と第１側面部41の境界部分、底面部45と第２側面部42の境界部分、底面部45と第３側面部43の境界部分、底面部45と第４側面部44の境界部分にそれぞれ底面部45側から第１谷折り線46と、第２谷折り線47と、山折り線48とを互いに略平行に設け、これら３本の折曲線46,47,48で底面部45と第１〜４側面部41,42,43,44とをそれぞれ区分している。
【００４１】
そして、第１谷折り線46と第２谷折り線47では被印刷体40を約９０°に谷折りし、山折り線48では被印刷体40を約９０°に山折りすることによって、図１に示すように、被印刷体40は、底面部45に対して第１〜４側面部41,42,43,44がそれぞれ起立状態となるようにしている。
【００４２】
そして、底面部45と第１〜４側面部41,42,43,44の各境界部分には、図２に示すように、第１谷折り線46と第２谷折り線47とで挟まれた部分を下方に向けて突出した突出壁49aを形成している。
【００４３】
この突出壁49aは、上記したように、外箱体10の溝14に挿入可能としており、突出壁49aを外箱体10の溝14に挿入することによって、外箱体10の内側面に沿わせて挿入した被印刷体40に位置ずれが生じることを抑制している。
【００４４】
しかも、突出壁49aの形成にともなって被印刷体40には、図２に示すように、突出壁49aの内側面側で構成される凹条溝49bを設けることができ、この凹条溝49bに上記したように内箱体20に設けた挿入片21を挿入するようにしており、挿入片21と溝14とで被印刷体40を挟持するようにしている。
【００４５】
したがって、外箱体10の溝14に挿入された被印刷体40の突出壁49aが溝14から抜け出すことを防止でき、被印刷体40に位置ずれが生じることを確実に防止できる。
【００４６】
しかも、外箱体10と内箱体20との間に被印刷体40を介設することによって、被印刷体40自体を緩衝材として機能させることができ、賞球収容箱内に賞球を投入する際に生じる騒音を抑制することができるとともに、比較的破損しやすい内箱体に破損が生じる可能性を大きく低減できる。
【００４７】
上記した実施形態では、図２に示したように、緩衝シート体30が嵌合される嵌合用凹部13と突出壁49aが挿入される溝14とをそれぞれ所定間隔だけ離隔させて設けているが、図５に示すように、緩衝シート体30'の外側縁を利用して溝14'を構成するように緩衝シート体30'が嵌合される嵌合用凹部13'の外周に隣接させて溝14'を構成してもよい。図５中、図２の構成物と同一の構成物には同一符号を用いており、重複する説明は省略する。
【００４８】
前述した賞球収容箱の変容例として、図６及び図７に示す賞球収容箱のように構成することもできる。この変容例の賞球収容箱では、前述した賞球収容箱のように内箱体20を外箱体10に係合装着するのではなく、内箱体70を外箱体60に単に遊嵌させている点が大きく異なっている。
【００４９】
すなわち、変容例の賞球収容箱も、上部を開口した箱体である外箱体60と、この外箱体60に開口から挿入して内側に保持させる上部を開口した箱体の内箱体70と、外箱体60の底面に敷設する緩衝シート体30と、外箱体60と内箱体70との間に介設する被印刷体40とで構成している。
【００５０】
緩衝シート体30と被印刷体40は、前述した賞球収容箱と同じであるので同一符号を用い、重複する説明は省略する。
【００５１】
本実施形態でも、外箱体60は、透明な合成樹脂材料で上部を開口した箱体としており、図６に示すように対向した１組の側壁61,61の外側面には把持用の取っ手62,62を設けている。取っ手62,62は、それぞれしっかりと把持できるように指に合わせた凹凸形状を形成しており、特に、取っ手62,62の上面における親指が位置する部分には、複数のディンプル63を設けて滑り止めとしている。
【００５２】
外箱体60の底面には、所定位置に貫通孔60hを設けている。この貫通孔60hは、内箱体70内に収容した賞球を外箱体60の底面から露出させるためのものであり、外箱体60の底面から露出した賞球自体をアースとして用いることにより、静電気の帯電を防止可能としているものである。本実施形態では、貫通孔60hは、略矩形状の外箱体60の底面の１組の対角部分にそれぞれ設けている。
【００５３】
外箱体60の上端縁には、所要の幅寸法とした外箱体鍔部65を設けており、この外箱体鍔部65の外側縁には上方に向けて突出させた突出壁66を設けている。図６中、67は外箱体鍔部65に設けた係合片挿入孔であって、後述するように内箱体70に設けた係合片77を挿入可能としているものである。
【００５４】
緩衝シート体30は、このように構成した外箱体60の底面に載置するようにしており、外箱体60に設けた貫通孔60hに対応させて、緩衝シート体30にも貫通孔30hを設けている。
【００５５】
また、底面部45と、第１〜４側面部41,42,43,44を備えるとともに、底面部45と第１〜４側面部41,42,43,44の各境界部分に下方に向けて突出した突出壁49aを設けた被印刷体40にも、外箱体60に設けた貫通孔60h及び緩衝シート体30に設けた貫通孔30hに対応させて、貫通孔40hを設けている。
【００５６】
なお、本実施形態では、外箱体60の底面には、被印刷体40の突出壁49aが挿入される溝部を設けてはおらず、外箱体60の底面に緩衝シート体30を載設することによって形成される緩衝シート体30の厚み寸法分の段差に合わせて突出壁49aを形成している。
【００５７】
内箱体70は、透明な合成樹脂材料で上部を開口した箱体としており、外箱体60に挿入可能としている。内箱体70も透明体としているが、光が透過できれば多少の着色が施されていてもよいし、所要の領域だけ透明としたり開口したりしてもよい。図６中、70hは、外箱体60に設けた貫通孔60h、及び緩衝シート体30に設けた貫通孔30h、被印刷体40に設けた貫通孔40h対応させて、内箱体70に設けた貫通孔70hである。
【００５８】
内箱体70には、上端縁に内箱体鍔部75を設けており、この内箱体鍔部75は、図７に示すように、外箱体60に設けた外箱体鍔部65と互いに重なり合うようにしている。
【００５９】
さらに、内箱体鍔部75には外箱体鍔部65と重なり合う重合面側に下方に向けて突設した係合片77を設けており、この係合片77を外箱体鍔部65に設けた係合片挿入孔67に挿入することによって、外箱体10に装着した内箱体20を外れにくくしている。
【００６０】
しかも、外箱体60の外箱体鍔部65の外側縁に設けた突出壁66は、内箱体70の内箱体鍔部75が遊嵌されるように、内箱体鍔部75の外周部分に配置させている。
【００６１】
そのうえ、突出壁66は内箱体70の内箱体鍔部75の厚み寸法よりも大きく突出させており、この突出壁66によって内箱体70内から賞球が零れ落ちることを防止している。
【００６２】
このように、内箱体70に設けた内箱体鍔部75の外周縁に沿って突出壁66を設けたことによって、外箱体60に遊嵌させた内箱体70を外箱体60で安定的に保持することができるとともに、内箱体70の外箱体60への着脱操作を容易に行うことができる。
【００６３】
また、内箱体70は外箱体60に遊嵌されるとともに、内箱体70と外箱体60の間に緩衝シート体30が設けられているので、内箱体70内に賞球を収容する際に生じる内箱体70による騒音の振動を外箱体60に伝播されにくくすることができ、緩衝シート体30での消音効果を高めて騒音の低減を図ることができる。
【００６４】
さらに、図７に示すように、賞球収容箱には、外箱体60に設けた貫通孔60h、緩衝シート体30に設けた貫通孔30h、被印刷体40に設けた貫通孔40h、内箱体70に設けた貫通孔70hが連通された貫通孔Ｈを設けており、この貫通孔Ｈによって賞球収容箱の底面側に露出した賞球によって静電気を放出させることができる。
【００６５】
前述した変容例の賞球収容箱は、いわゆるパチンコ玉を収容する賞球収容箱であるために貫通孔Ｈを設けているが、いわゆるスロットマシン用のメダルを収容する賞球収容箱の場合には、貫通孔Ｈは必ずしも設ける必要はない。また、メダルを収容する賞球収容箱は、メダルの収容に適合させた適宜の寸法に構成してもよい。
【００６６】
変容例の賞球収容箱でも、外箱体60と内箱体70との間に介設した被印刷体40の印刷領域にそれぞれ所望の印刷、例えば店舗広告や、サービス内容の告知、遊技者が得する情報の表示を行うことにより、極めて高効率な広告媒体として用いることができる。
【図面の簡単な説明】
【００６７】
【図１】本発明に係る賞球収容箱の分解組み立て図である。
【図２】本発明に係る賞球収容箱の縦断面による分解組み立て図である。
【図３】内箱体を外箱体に固定装着するための固定装着手段の説明図である。
【図４】被印刷体の説明図である。
【図５】変容例の賞球収容箱の縦断面による分解組み立て図である。
【図６】変容例の賞球収容箱の分解組み立て図である。
【図７】変容例の賞球収容箱の斜視図である。
【符号の説明】
【００６８】
10  外箱体
11  側壁
12  取っ手
13  嵌合用凹部
14  溝
15  フランジ
16  係合用凹部
20  内箱体
21  挿入片
22  フランジカバー
23  通気孔
26  係合用凸部
30  緩衝シート体
40  被印刷体
41  第１側面部
42  第２側面部
43  第３側面部
44  第４側面部
45  底面部
46  第１谷折り線
47  第２谷折り線
48  山折り線
49a 突出壁
49b 凹条溝
【図１】
2006051395.tif 000003
【図２】
2006051395.tif 000004
【図３】
2006051395.tif 000005
【図４】
2006051395.tif 000006
【図５】
2006051395.tif 000007
【図６】
2006051395.tif 000008
【図７】
2006051395.tif 000009